(57)【要約】【課題】コネクタを小型化し、コンタクトの接点部がカードの挿入口に近づいたとしても接触圧を確保することの可能なコネクタを提供すること。【解決手段】コネクタ１０は、保持部材１００に保持されたコンタクト２００を備えている。コンタクト２００は、ベース部２１０とバネ部２５０とを有している。ベース部２１０には、Ｚ方向に移動可能な可動起点部２３２が設けられている。バネ部２５０は、可動起点部２３２から−Ｙ方向に延びている。バネ部２５０には、カードの端子と接触する接点部２８０が設けられている。【選択図】図７
2015072745.tif 000002
【特許請求の範囲】
【請求項１】
挿入口から挿入されたカードと接続するコネクタであって、
前記コネクタは、保持部材と、前記保持部材に保持されたコンタクトとを備えており、
前記保持部材は、後側支持部と、前後方向において前記挿入口に対して前記後側支持部よりも近い前側支持部とを有しており、
前記コンタクトは、ベース部とバネ部とを有しており、
前記ベース部は、後側被支持部と前側被支持部と可動起点部とを有しており、
前記後側被支持部は、前記後側支持部に支持されており、
前記前側被支持部は、前記前側支持部に支持されており、
前記可動起点部は、前記前後方向において、前記後側被支持部と前記前側被支持部との間に位置しており、且つ、前記前後方向と直交する上下方向に移動可能であり、
前記バネ部は、前記前後方向において前記可動起点部から前方に延びており、
前記バネ部には、前記カードの端子と接触する接点部が設けられている
コネクタ。
【請求項２】
請求項１記載のコネクタであって、
前記ベース部は、２つの前記前側被支持部を有しており、
前記前側被支持部は、少なくとも前記前後方向に移動可能となるように前記前側支持部に支持されており、
前記可動起点部は、前記前後方向及び前記上下方向の双方と直交する幅方向において前記前側被支持部の間に位置している
コネクタ。
【請求項３】
請求項２記載のコネクタであって、
前記ベース部は、２つの主梁部と、前記主梁部を前記幅方向において連結する連結部とを備えており、
前記主梁部は、夫々、前記前側被支持部と前記後側被支持部とを一つずつ有しており、
前記可動起点部は、前記連結部に設けられている
コネクタ。
【請求項４】
請求項１乃至請求項３のいずれかに記載のコネクタであって、
前記バネ部は、前記可動起点部から前方に延びる第１梁部と、前記第１梁部から後方に延びる第２梁部とを有しており、
前記接点部は、前記第２梁部に設けられている
コネクタ。
【請求項５】
請求項４記載のコネクタであって、
前記第１梁部と前記第２梁部とは２つずつあり、
前記第２梁部は前記接点部において接続されている
コネクタ。
【請求項６】
請求項１乃至請求項５のいずれかに記載のコネクタであって、
前記後側被支持部は、少なくとも前記前後方向に移動可能となるように前記後側支持部に支持されている
コネクタ。
【請求項７】
請求項１乃至請求項６のいずれかに記載のコネクタであって、
前記コンタクトは、前記保持部材に保持される被保持部と、前記コネクタが搭載される基板に固定される被固定部とを更に有しており、
前記被保持部は、前記前後方向において前記後側被支持部の前方に位置しており、
前記被固定部は、前記前後方向において前記被保持部の前方に位置している
コネクタ。
【請求項８】
請求項１乃至請求項７のいずれかに記載のコネクタであって、
前記コネクタは、複数の前記コンタクトを備えており、
前記前後方向及び前記上下方向の双方と直交する幅方向において端に位置する前記コンタクトの前記バネ部は、前記バネ部の前記幅方向の中心に対して非対称な形状を有している
コネクタ。
【請求項９】
請求項１乃至請求項８のいずれかに記載のコネクタであって、
前記コネクタは、収容されているカードの排出のために、前記カードを後方に向けて一時的に押圧するプッシュプッシュ機構を備えている
コネクタ。
【請求項１０】
請求項１乃至請求項９のいずれかに記載のコネクタであって、
前記コネクタは、前記バネ部の前端をガードするガード部を更に備えており、
前記ガード部は、前記カードが前記コネクタに挿入されていないときに、前記前後方向において前記バネ部の前記前端の前方に位置しており且つ前記上下方向において前記バネ部の前記前端の位置を含むように設けられている
コネクタ。
【発明の詳細な説明】
【技術分野】
【０００１】
本発明は、SIM(Subscriber Identity Module)カードのようなカードと接続するコネクタに関する。
【背景技術】
【０００２】
カードコネクタとしては、例えば、特許文献１に開示されたものがある。図２０に示されるように、特許文献１のカードコネクタのコンタクトは、第１支点部、第１板バネ片部、第２支点部及び第２板バネ片部を有している。第１支点部は、カードを収容する収容部の底面に常に接触している。第１板バネ片部は、第１支点部からカード排出方向に延びている。第２支点部は、第１板バネ片部の先端に位置している。第２支点部は、第１板バネ片部が第１支点部を支点として撓んだ際に収容部の底面に接触する。第２板バネ片部は、第２支点部からカード挿入方向（カード排出方向の逆方向）に延びている。第２板バネ片部の先端は、カードの端子に接触する接点部として機能する。この構成により、特許文献１のカードコネクタは、安定した接触圧を提供している。
【先行技術文献】
【特許文献】
【０００３】
【特許文献１】特許４３８５０４７号明細書
【発明の概要】
【発明が解決しようとする課題】
【０００４】
マイクロSIMカードやnano-SIMカードと接続するコネクタには、当然のことながら、カードサイズに応じた小型化の要請がある。加えて、コンタクトの接点部をカードの挿入口に近づけなければならない。しかしながら、特許文献１の構造では、コネクタを小型化しつつ、コンタクトの接点部をカードの挿入口に近づけることは困難であり、十分な接触圧を得ることもできない。
【０００５】
そこで、本発明は、コネクタを小型化し、コンタクトの接点部がカードの挿入口に近づいたとしても接触圧を確保することの可能なコネクタを提供することを目的とする。
【課題を解決するための手段】
【０００６】
本発明は、第１のコネクタとして、
挿入口から挿入されたカードと接続するコネクタであって、
前記コネクタは、保持部材と、前記保持部材に保持されたコンタクトとを備えており、
前記保持部材は、後側支持部と、前後方向において前記挿入口に対して前記後側支持部よりも近い前側支持部とを有しており、
前記コンタクトは、ベース部とバネ部とを有しており、
前記ベース部は、後側被支持部と前側被支持部と可動起点部とを有しており、
前記後側被支持部は、前記後側支持部に支持されており、
前記前側被支持部は、前記前側支持部に支持されており、
前記可動起点部は、前記前後方向において、前記後側被支持部と前記前側被支持部との間に位置しており、且つ、前記前後方向と直交する上下方向に移動可能であり、
前記バネ部は、前記前後方向において前記可動起点部から前方に延びており、
前記バネ部には、前記カードの端子と接触する接点部が設けられている
コネクタを提供する。
【０００７】
また、本発明は、第２のコネクタとして、第１のコネクタであって、
前記ベース部は、２つの前記前側被支持部を有しており、
前記前側被支持部は、少なくとも前記前後方向に移動可能となるように前記前側支持部に支持されており、
前記可動起点部は、前記前後方向及び前記上下方向の双方と直交する幅方向において前記前側被支持部の間に位置している
コネクタを提供する。
【０００８】
また、本発明は、第３のコネクタとして、第２のコネクタであって、
前記ベース部は、２つの主梁部と、前記主梁部を前記幅方向において連結する連結部とを備えており、
前記主梁部は、夫々、前記前側被支持部と前記後側被支持部とを一つずつ有しており、
前記可動起点部は、前記連結部に設けられている
コネクタを提供する。
【０００９】
また、本発明は、第４のコネクタとして、第１乃至第３のいずれかのコネクタであって、
前記バネ部は、前記可動起点部から前方に延びる第１梁部と、前記第１梁部から後方に延びる第２梁部とを有しており、
前記接点部は、前記第２梁部に設けられている
コネクタを提供する。
【００１０】
また、本発明は、第５のコネクタとして、第４のコネクタであって、
前記第１梁部と前記第２梁部とは２つずつあり、
前記第２梁部は前記接点部において接続されている
コネクタを提供する。
【００１１】
また、本発明は、第６のコネクタとして、第１乃至第５のいずれかのコネクタであって、
前記後側被支持部は、少なくとも前記前後方向に移動可能となるように前記後側支持部に支持されている
コネクタを提供する。
【００１２】
また、本発明は、第７のコネクタとして、第１乃至第６のいずれかのコネクタであって、
前記コンタクトは、前記保持部材に保持される被保持部と、前記コネクタが搭載される基板に固定される被固定部とを更に有しており、
前記被保持部は、前記前後方向において前記後側被支持部の前方に位置しており、
前記被固定部は、前記前後方向において前記被保持部の前方に位置している
コネクタを提供する。
【００１３】
また、本発明は、第８のコネクタとして、第１乃至第７のいずれかのコネクタであって、
前記コネクタは、複数の前記コンタクトを備えており、
前記前後方向及び前記上下方向の双方と直交する幅方向において端に位置する前記コンタクトの前記バネ部は、前記バネ部の前記幅方向の中心に対して非対称な形状を有している
コネクタを提供する。
【００１４】
また、本発明は、第９のコネクタとして、第１乃至第８のいずれかのコネクタであって、
前記コネクタは、収容されているカードの排出のために、前記カードを後方に向けて一時的に押圧するプッシュプッシュ機構を備えている
コネクタを提供する。
【００１５】
更に、本発明は、第１０のコネクタとして、第１乃至第９のいずれかのコネクタであって、
前記コネクタは、前記バネ部の前端をガードするガード部を更に備えており、
前記ガード部は、前記カードが前記コネクタに挿入されていないときに、前記前後方向において前記バネ部の前記前端の前方に位置しており且つ前記上下方向において前記バネ部の前記前端の位置を含むように設けられている
コネクタを提供する。
【発明の効果】
【００１６】
バネ部が上下方向に移動可能な可動起点部から延びており、且つ、接点部がバネ部に設けられていることから、可動起点部の上下方向の移動も接点部の上下方向の移動に寄与している。従って、バネ部が短く硬いバネであっても、接点部は十分に柔らかいバネに支持されている場合と同様の接触圧でカードの端子に接触することができる。
【００１７】
また、可動起点部の上下方向の移動が接点部の上下方向の移動に寄与していることから、変形後のコンタクト全体の高さを低くできる。即ち、コネクタが搭載される基板の上面から変形したコンタクトの接点部までのサイズを小さくできる。そのため、基板に孔を開けるような加工を加える必要はない。
【図面の簡単な説明】
【００１８】
【図１】本発明の実施の形態によるコネクタを示す斜視図である。
【図２】図１のコネクタのシェル以外の構成を示す斜視図である。
【図３】図１のコネクタを示す上面図である。
【図４】図３のコネクタのシェル以外の構成を示す上面図である。
【図５】図３のコネクタに対してカードを収容した状態を示す上面図である。
【図６】カード排出のために図５の状態からカードを押圧した状態を示す上面図である。
【図７】図３のコネクタの一部をVII--VII線に沿って示す断面図である。
【図８】図５のコネクタの一部をVIII--VIII線に沿って示す断面図である。
【図９】図４の構成の一部を示す拡大上面図である。
【図１０】図９の構成をＸ--Ｘ線に沿って示す断面図である。
【図１１】図１のコネクタに含まれるコンタクトを示す斜視図である。
【図１２】図１１のコンタクトを示す上面図である。
【図１３】図１１のコンタクトを示す側面図である。
【図１４】図１１のコンタクトを示す側面図である。ここで、コンタクトは、カードを収容したコネクタ内のコンタクトと同様に変形している。
【図１５】図４のコネクタに対してカードが斜めに挿入された状態を示す上面図である。
【図１６】コンタクトの変形例を示す斜視図である。
【図１７】図１６のコンタクトを示す上面図である。
【図１８】コンタクトの他の変形例を示す斜視図である。
【図１９】図１８のコンタクトを示す上面図である。
【図２０】特許文献１のカードコネクタを示す斜視図である。
【発明を実施するための形態】
【００１９】
図１乃至図４を参照すると、本発明の実施の形態によるコネクタ１０は、前端側（−Ｙ側）に挿入口２０を有しており、前後方向（Ｙ方向）において挿入口２０の後側（＋Ｙ側）にはカード８００（図５参照）を部分的に収容するための収容部３０が設けられている。本実施の形態におけるカード８００は、nano-SIMカード(fourth form factor(4FF)カード)である。
【００２０】
図１乃至図４から理解されるように、コネクタ１０は、絶縁体からなる保持部材１００と、保持部材１００に保持された導電体からなる複数のコンタクト２００，３００と、金属製のシェル４００とを備えている。
【００２１】
保持部材１００には、複数の金属製の補強部材１７０が組み込まれている。シェル４００は、補強部材１７０のうち、保持部材１００の幅方向（Ｘ方向：左右方向）の両端に位置する補強部材１７０と嵌め合わせられ、それによって、保持部材１００とシェル４００は、上述した挿入口２０及び収容部３０を形成している。
【００２２】
また、図４、図９及び図１０から理解されるように、保持部材１００には、保持部１１０と、受容部１２０と、押さえ部１２２と、後側支持部１３０と、前側支持部１４０とが設けられている。保持部１１０は、コンタクト２００を保持している。受容部１２０は、保持部１１０の前側（−Ｙ側）に位置している。図７、図９及び図１０から理解されるように、保持部１１０に保持されたコンタクト２００は、前方（−Ｙ方向）に延びている。本実施の形態の受容部１２０は、保持部材１００を上下方向（Ｚ方向）において貫通する開口である。受容部１２０は、後述するように、コンタクト２００の変形を許容するためのスペースである。従って、コンタクト２００の変形が可能であれば、受容部１２０に底部が設けられていてもよい。押さえ部１２２は、幅方向（Ｘ方向）において受容部１２０の内側に張り出している。後側支持部１３０は、受容部１２０の後側（＋Ｙ側）に位置している。前側支持部１４０は、受容部１２０の前側（−Ｙ側）に位置している。即ち、前側支持部１４０は、後側支持部１３０よりも前側に位置している。換言すると、前側支持部１４０は、前後方向（Ｙ方向）において挿入口２０に対して後側支持部１３０よりも近い。
【００２３】
更に、図２及び図４から理解されるように、保持部材１００には、検知スイッチ４５０と、プッシュプッシュ機構５００とが組み込まれている。検知スイッチ４５０は、保持部材１００の後側（＋Ｙ側）端部近傍に位置している。換言すると、検知スイッチ４５０は、収容部３０の奥側に位置している。本実施の形態による検知スイッチ４５０は、ノーマルオープン型のものであり、カード８００が収容部３０に収容されるとオン状態になるものである。但し、本発明はこれに限定されるわけではなく、ノーマルクローズ型のものを検知スイッチ４５０として採用してもよい。
【００２４】
図２及び図４に示されるように、プッシュプッシュ機構５００は、保持部材１００の右側（＋Ｘ側）端部近傍に位置している。本実施の形態のプッシュプッシュ機構５００は、スプリング５１０と、絶縁体からなるスライダ５２０と、金属製のカムフォロワ５５０とを備えている。スライダ５２０は、前後方向（Ｙ方向）に沿ってスライド可能又は移動可能となるように保持部材１００に支持されている。スライダ５２０は、スプリング５１０によって、前方（−Ｙ方向）に向けて押圧されている。スライダ５２０には、イジェクタ５３０と、カム溝５４０とが形成されている。イジェクタ５３０は、収容部３０内に向かって（即ち、−Ｘ側又は左側に向かって）張り出している。カム溝５４０は、いわゆるハートカムを含んでいる。カムフォロワ５５０の一端は、保持部材１００に形成された軸穴１０２に挿入されており、それによって、カムフォロワ５５０の他端は円弧軌道上を移動可能となっている。カムフォロワ５５０の他端は、カム溝５４０に受容され、ハートカムに沿った相対移動を行う。これにより、収容部３０に収容されているカード８００の端部８０５を後方（−Ｙ方向）に向けて一時的に押圧した後（即ち、図５に示される状態から図６に示される状態にした後）、カード８００を離すと、スライダ５２０がスプリング５１０により排出方向（−Ｙ方向）に押圧され、それによって、イジェクタ５３０がカード８００を排出方向に移動させる。なお、プッシュプッシュ機構５００の詳細構造は、本実施の形態によるものには限定されず、同様の動作を実現可能なものであればよい。
【００２５】
図２、図４及び図７から理解されるように、コンタクト２００の前側には、保持部材１００の一部と補強部材１７０とで構成されたガード部１５０が設けられている。ガード部１５０の機能については後述する。
【００２６】
図１乃至図４から理解されるように、コンタクト２００は、コンタクト３００よりも前側（−Ｙ側）に位置している。コンタクト３００は、互いに同一形状を有している。コンタクト２００には、右側（＋Ｘ側）のコンタクト２００Ｒと、左側（−Ｘ側）のコンタクト２００Ｌと、真ん中のコンタクト２００Ｍとがある。これらは、後述するように部分的に異なる形状を有しているが、概略の構成及び機能は互いに同一である。以下においては、真ん中のコンタクト２００Ｍを参照して、コンタクト２００の構造について説明する。
【００２７】
図７乃至図１４に示されるように、コンタクト２００は、ベース部２１０と、バネ部２５０とを有している。
【００２８】
図１１及び図１２に示されるように、本実施の形態のベース部２１０は、２つの主梁部２２０と、それらを幅方向（Ｘ方向）において連結する連結部２３０とを有している。連結部２３０は前後方向（Ｙ方向）において主梁部２２０の中ほどに接続されており、主梁部２２０と連結部２３０とはＨ字状の形状を構成している。主梁部２２０の後側（＋Ｙ側）の端部は後側被支持部２２２として用いられ、主梁部２２０の前側（−Ｙ側）の端部は前側被支持部２２４として用いられる。具体的には、図１０に示されるように、後側被支持部２２２は後側支持部１３０上に載せられており、前側被支持部２２４は前側支持部１４０上に載せられている。換言すると、後側被支持部２２２は後側支持部１３０に支持されており、前側被支持部２２４は前側支持部１４０に支持されている。そのため、後側被支持部２２２や前側被支持部２２４は、それぞれ前後方向に少なからず移動可能であり、また後側支持部１３０や前側支持部１４０から上方（＋Ｚ側）に僅かに離れることも可能である。これにより、主梁部２２０が十分に撓むことができる。
【００２９】
図９、図１１及び図１２に示されるように連結部２３０の一部は、可動起点部２３２として用いられる。可動起点部２３２は、幅方向（Ｘ方向）において２つの前側被支持部２２４の間に位置している。また、可動起点部２３２は、前後方向において、後側被支持部２２２と前側被支持部２２４との間に位置している。そのため、可動起点部２３２は主梁部２２０の撓みを利用して上下方向（Ｚ方向）に移動することができる。特に、本実施の形態においては、上述したように主梁部２２０が十分に撓むことができることから、可動起点部２３２も上下方向において十分に移動することができる。
【００３０】
図１１及び図１２に示されるように、ベース部２１０の後側被支持部２２２は夫々被保持部２４０に繋がっており、更に被保持部２４０は１つの被固定部２４５に繋がっている。被保持部２４０は、後側被支持部２２２の前方（−Ｙ側）に位置しており、被固定部２４５は、被保持部２４０の前方に位置している。詳しくは、図示された被保持部２４０は、後側被支持部２２２から幅方向（Ｘ方向）の内側に延びた後、斜め下前方に延びている。図示された被固定部２４５は、それら被保持部２４０の先端を連結し、更に前方（−Ｙ側）に突出するように延びている。即ち、被固定部２４５は、前後方向において連結部２３０に向かって延びている。図９乃至図１２から理解されるように、被保持部２４０は、保持部材１００の保持部１１０に保持される部位であり、被固定部２４５はコネクタ１０が搭載される基板（図示せず）に半田付けにより固定される部位である。また、保持部１１０による被保持部２４０の保持形態から理解されるように、コンタクト２００は保持部材１００に対してインサート成型により保持されている。
【００３１】
図７乃至図９並びに図１１及び図１２から理解されるように、バネ部２５０は、可動起点部２３２から前方（−Ｙ方向）に延びている。可動起点部２３２が幅方向（Ｘ方向）において前側被支持部２２４の間に位置していることから、バネ部２５０は、前側被支持部２２４の間のスペースに向かって延びている。図１１及び図１２に示されるように、バネ部２５０は、２つの第１梁部２６０と、２つの第２梁部２７０とを有している。図７、図８及び図１１に示されるように、第１梁部２６０は、可動起点部２３２から夫々前方に延びており、第２梁部２７０は、第１梁部２６０から夫々後方（＋Ｙ方向）に延びている。図７から理解されるように、詳しくは、第１梁部２６０は、上方（＋Ｚ方向）に盛り上がるように、対応する可動起点部２３２から前方に延びている。即ち、第１梁部２６０は、対応する可動起点部２３２から斜め上前方に延びた後、斜め下前方に延びている。第２梁部２７０は、対応する第１梁部２６０の前端（−Ｙ側端）から斜め上後方に延びており（図７）、且つ、対応する第１梁部２６０の前端（−Ｙ側端）から幅方向の内側にも延びている（図１１、図１２）。図１１及び図１２に示されるように、２つの第２梁部２７０は、後端（＋Ｙ側端）において互いに接続されており、その接続点が接点部２８０となっている。即ち、接点部２８０は第２梁部２７０に設けられている。図８に示されるように、接点部２８０は、カード８００の端子８１０と接触する部位であり、上方（＋Ｚ方向）に盛り上がっている。
【００３２】
図７、図１１及び図１２から理解されるように、第１梁部２６０の前端近傍と第２梁部２７０の前端近傍は、挿入口２０からカード８００を収容部３０内に挿入する際（図８も参照）にカード８００によって下方向（−Ｚ方向）に押し下げられ、それによって接点部２８０を下方向へ移動させる誘い部２９０として機能している。この機能を実現するため、図７に示されるように、誘い部２９０は、カード８００を挿入していない初期状態において、斜め後上方に延びている。即ち、誘い部２９０は、初期状態において、前後方向及び上下方向と斜交する方向へ延びている。また、誘い部２９０の前端２９５（即ち、バネ部２５０の前端２９５）は、初期状態において、受容部１２０内に位置している。即ち、バネ部２５０の前端２９５は、保持部材１００の上面よりも下側に位置している。上述した保持部材１００のガード部１５０は、初期状態にあるバネ部２５０の前端２９５の前方に位置している。また、ガード部１５０の一部は、上下方向（Ｚ方向）において、バネ部２５０の前端２９５と同一位置にある。即ち、ガード部１５０は、上下方向において、初期位置にあるバネ部２５０の前端２９５の位置を含むように設けられている。かかるガード部１５０は、図７及び図８から理解されるように、カード８００を挿入口２０から収容部３０に収容する際にカード８００がバネ部２５０の前端２９５に接触してコンタクト２００が座屈してしまうことを防止している。
【００３３】
図７、図８、図１３及び図１４から理解されるように、バネ部２５０が上下方向（Ｚ方向）に移動可能な可動起点部２３２から延びており、且つ、接点部２８０がバネ部２５０に設けられていることから、可動起点部２３２の上下方向の移動も接点部２８０の上下方向の移動に寄与している。そのため、カード８００の収容による弾性変形後のコンタクト２００の高さを低くできる。即ち、コネクタ１０が搭載される基板（図示せず）の上面から弾性変形したコンタクト２００の接点部２８０までのサイズを小さくできる。そのため、コンタクト２００の弾性変形は保持部材１００の受容部１２０を利用して行うことができることから、基板（図示せず）に孔を開けるような加工を加える必要はない。
【００３４】
また、バネ部２５０自体は可動起点部２３２から延びる部位でありコンタクト２００全体の長さと比べて短いが、可動起点部２３２の上下方向の移動が接点部２８０の上下方向の移動に寄与していることから、接点部２８０は十分に柔らかいバネに支持されている場合と同様の接触圧でカード８００の端子８１０に接触することができる。
【００３５】
特に、本実施の形態によるコンタクト２００のバネ部２５０は、第１梁部２６０と第２梁部２７０とを有していることから、実際にバネ性に寄与する長さを長くしつつ被保持部２４０から接点部２８０までの距離を短くすることができる。被保持部２４０から接点部２８０までの距離が短いと幅方向（Ｘ方向）の力がコンタクト２００に加わっても変形しにくくなる。即ち、本実施の形態によれば、必要なバネ性を確保しつつ幅方向の力に強いコンタクト２００を得ることができる。
【００３６】
更に、図４に示されるように、本実施の形態においては、右側のコンタクト２００Ｒと、真ん中のコンタクト２００Ｍと、左側のコンタクト２００Ｌとは互いに異なる形状を有している。真ん中のコンタクト２００Ｍのバネ部２５０は、バネ部２５０の幅方向の中心に対して対称な形状を有しているが、右側のコンタクト２００Ｒと左側のコンタクト２００Ｌのバネ部２５０は、バネ部２５０の幅方向の中心に対して非対称な形状を有している。即ち、本実施の形態において、幅方向（Ｘ方向）において端に位置するコンタクト２００Ｒ，２００Ｌのバネ部２５０は、バネ部２５０の幅方向の中心に対して非対称な形状を有している。更に詳しくは、右側のコンタクト２００Ｒの接点部２８０は、バネ部２５０の幅方向の中心よりも右側（＋Ｘ側）に位置しており、左側のコンタクト２００Ｌの接点部２８０は、バネ部２５０の幅方向の中心よりも左側（−Ｘ側）に位置している。図３、図４及び図１５から理解されるように、カード８００が挿入口２０に挿入される際に、シェル４００や補強部材１７０があることから、右側のコンタクト２００Ｒに対して右側からカード８００が当たることはなく、同様に、左側のコンタクト２００Ｌに対して左側からカード８００が当たることはない。その代わり、右側のコンタクト２００Ｒに対しては、真ん中のコンタクト２００Ｍと比較して、左側から右向きの大きな力を伴ってカード８００が当たる場合があり、同様に、左側のコンタクト２００Ｌに対しては、真ん中のコンタクト２００Ｍと比較して、右側から左向きの大きな力を伴ってカード８００が当たる場合がある。その際に、本実施の形態のバネ部２５０のように非対称な形状を持たせることとすると、右向きや左向きの力がバネ部２５０に加わった場合でもコンタクト２００Ｌ，２００Ｒの破損を避けることができる。
【００３７】
以上、本発明の実施の形態によるコネクタ１０について具体的に説明してきたが、本発明はこれに限定されるものではない。
【００３８】
上述した本実施の形態におけるカード８００は、nano-SIMカードであったが、本発明はこれに限定されるわけではない。本発明のコネクタは、マイクロSIM(third form factor (3FF))用のコネクタやフルサイズのSIM用のコネクタにも適用可能である。
【００３９】
上述した実施の形態によるコネクタ１０は、プッシュプッシュ機構５００を備えていたが、本発明はプッシュプッシュ機構を有さないコネクタに対しても適用可能である。但し、プッシュプッシュ機構５００を備えるコネクタ１０の方が本発明の利点をより享受することができる。詳しくは、図５、図６及び図８から理解されるように、プッシュプッシュ機構５００を備えるコネクタ１０の場合、カード８００が挿入口２０から突出した状態でカード８００とコネクタ１０との接続が維持される。そのため、プッシュプッシュ機構を有さないコネクタと比較して、プッシュプッシュ機構５００を有するコネクタ１０においては、カード８００の突出量の分だけ、カード８００の端子８１０が挿入口２０に近くなる。この場合であっても、上述したように、接点部２８０の端子８１０に対する接触圧として、十分な接触圧を確保することができる。
【００４０】
上述した実施の形態においては、後側被支持部２２２及び前側被支持部２２４は２つずつ設けられていたが、本発明はこれに限定されるわけではない。前側被支持部２２２や後側被支持部２２４は１つであってもよいし、いずれか一方が前後方向へ移動しないように保持部材１００に保持されていてもよい。
【００４１】
図１６及び図１７に示されるように、変形例によるコンタクト２００Ａは、角張ったＹ字状のベース部２１０Ａと、バネ部２５０とを有している。バネ部２５０は、上述した実施の形態によるコンタクト２００と同一形状であるので同一の参照符号を付して詳細な説明を省略することとする。
【００４２】
ベース部２１０Ａは、１つの後側被支持部２２２Ａと２つの前側被支持部２２４Ａとを有している。可動起点部２３２Ａは、２つ設けられている。可動起点部２３２Ａは、前後方向において、後側被支持部２２２Ａと前側被支持部２２４Ａの間に位置している。また、各可動起点部２３２Ａは、幅方向において、２つの前側被支持部２２４Ａの間に位置している。詳しくは、各可動起点部２３２Ａは、後側被支持部２２２Ａと対応する前側被支持部２２４Ａとの間に位置している。被保持部２４０Ａは後側被支持部２２２Ａから後方に延びており、被固定部２４５Ａはその被保持部２４０Ａの後方に位置している。
【００４３】
また、図１８及び図１９に示されるように、他の変形例によるコンタクト２００Ｂは、柄杓状のベース部２１０Ｂと、バネ部２５０とを有している。バネ部２５０は、上述した実施の形態によるコンタクト２００と同一形状であるので同一の参照符号を付して詳細な説明を省略することとする。
【００４４】
ベース部２１０Ｂは、１つの後側被支持部２２２Ｂと１つの前側被支持部２２４Ｂとを有している。可動起点部２３２Ｂは２つ設けられている。可動起点部２３２Ｂは、前後方向において、後側被支持部２２２Ｂと前側被支持部２２４Ｂの間に位置している。前側被支持部２２４Ｂは１つであるが、幅方向に延びていることから、複数の前側支持部により支持することも可能である。被保持部２４０Ｂは後側被支持部２２２Ｂから後方に延びており、被固定部２４５Ｂはその被保持部２４０Ｂの後方に位置している。
【符号の説明】
【００４５】
１０        コネクタ
２０        挿入口
３０        収容部
１００        保持部材
１０２        軸穴
１１０        保持部
１２０        受容部
１２２        押さえ部
１３０        後側支持部
１４０        前側支持部
１５０        ガード部
１７０        補強部材
２００，２００Ｌ，２００Ｒ，２００Ｍ，２００Ａ，２００Ｂ        コンタクト
２１０，２１０Ａ，２１０Ｂ        ベース部
２２０        主梁部
２２２，２２２Ａ，２２２Ｂ        後側被支持部
２２４，２２４Ａ，２２４Ｂ        前側被支持部
２３０        連結部
２３２，２３２Ａ，２３２Ｂ        可動起点部
２４０，２４０Ａ，２４０Ｂ        被保持部
２４５，２４５Ａ，２４５Ｂ        被固定部
２５０        バネ部
２６０        第１梁部
２７０        第２梁部
２８０        接点部
２９０        誘い部
２９５        前端
３００        コンタクト
４００        シェル
４５０        検知スイッチ
５００        プッシュプッシュ機構
５１０        スプリング
５２０        スライダ
５３０        イジェクタ
５４０        カム溝
５５０        カムフォロワ
８００        カード
８０５        端部
８１０        端子
【図１】
2015072745.tif 000003
【図２】
2015072745.tif 000004
【図３】
2015072745.tif 000005
【図４】
2015072745.tif 000006
【図５】
2015072745.tif 000007
【図６】
2015072745.tif 000008
【図７】
2015072745.tif 000009
【図８】
2015072745.tif 000010
【図９】
2015072745.tif 000011
【図１０】
2015072745.tif 000012
【図１１】
2015072745.tif 000013
【図１２】
2015072745.tif 000014
【図１３】
2015072745.tif 000015
【図１４】
2015072745.tif 000016
【図１５】
2015072745.tif 000017
【図１６】
2015072745.tif 000018
【図１７】
2015072745.tif 000019
【図１８】
2015072745.tif 000020
【図１９】
2015072745.tif 000021
【図２０】
2015072745.tif 000022
【手続補正書】
【提出日】平成26年10月24日(2014.10.24)
【手続補正１】
【補正対象書類名】特許請求の範囲
【補正対象項目名】全文
【補正方法】変更
【補正の内容】
【特許請求の範囲】
【請求項１】
挿入口から挿入されたカードと接続するコネクタであって、
前記コネクタは、保持部材と、前記保持部材に保持されたコンタクトとを備えており、
前記保持部材は、後側支持部と、前後方向において前記挿入口に対して前記後側支持部よりも近い前側支持部とを有しており、
前記コンタクトは、ベース部とバネ部とを有しており、
前記ベース部は、後側被支持部と前側被支持部と可動起点部とを有しており、
前記後側被支持部は、前記後側支持部に支持されており、
前記前側被支持部は、前記前側支持部に支持されており、
前記可動起点部は、前記前後方向において、前記後側被支持部と前記前側被支持部との間に位置しており、且つ、前記前後方向と直交する上下方向に移動可能であり、
前記バネ部は、前記前後方向において前記可動起点部から前方に延びており、
前記バネ部には、前記カードの端子と接触する接点部が設けられており、
前記バネ部は、前記可動起点部から前方に延びる第１梁部と、前記第１梁部から後方に延びる第２梁部とを有しており、
前記接点部は、前記第２梁部に設けられている
コネクタ。
【請求項２】
請求項１記載のコネクタであって、
前記ベース部は、２つの前記前側被支持部を有しており、
前記前側被支持部は、少なくとも前記前後方向に移動可能となるように前記前側支持部に支持されており、
前記可動起点部は、前記前後方向及び前記上下方向の双方と直交する幅方向において前記前側被支持部の間に位置している
コネクタ。
【請求項３】
請求項２記載のコネクタであって、
前記ベース部は、２つの主梁部と、前記主梁部を前記幅方向において連結する連結部とを備えており、
前記主梁部は、夫々、前記前側被支持部と前記後側被支持部とを一つずつ有しており、
前記可動起点部は、前記連結部に設けられている
コネクタ。
【請求項４】
請求項１乃至請求項３のいずれかに記載のコネクタであって、
前記第１梁部と前記第２梁部とは２つずつあり、
前記第２梁部は前記接点部において接続されている
コネクタ。
【請求項５】
請求項１乃至請求項４のいずれかに記載のコネクタであって、
前記後側被支持部は、少なくとも前記前後方向に移動可能となるように前記後側支持部に支持されている
コネクタ。
【請求項６】
請求項１乃至請求項５のいずれかに記載のコネクタであって、
前記コンタクトは、前記保持部材に保持される被保持部と、前記コネクタが搭載される基板に固定される被固定部とを更に有しており、
前記被保持部は、前記前後方向において前記後側被支持部の前方に位置しており、
前記被固定部は、前記前後方向において前記被保持部の前方に位置している
コネクタ。
【請求項７】
請求項１乃至請求項６のいずれかに記載のコネクタであって、
前記コネクタは、複数の前記コンタクトを備えており、
前記前後方向及び前記上下方向の双方と直交する幅方向において端に位置する前記コンタクトの前記バネ部は、前記バネ部の前記幅方向の中心に対して非対称な形状を有している
コネクタ。
【請求項８】
請求項１乃至請求項７のいずれかに記載のコネクタであって、
前記コネクタは、収容されているカードの排出のために、前記カードを後方に向けて一時的に押圧するプッシュプッシュ機構を備えている
コネクタ。
【請求項９】
請求項１乃至請求項８のいずれかに記載のコネクタであって、
前記コネクタは、前記バネ部の前端をガードするガード部を更に備えており、
前記ガード部は、前記カードが前記コネクタに挿入されていないときに、前記前後方向において前記バネ部の前記前端の前方に位置しており且つ前記上下方向において前記バネ部の前記前端の位置を含むように設けられている
コネクタ。